(57)【要約】  【課題】送風の吹出方向を回動させ、室内にくまなく送風するパネルの構造を簡素化し、さらに、メンテナンス性を向上させることを目的とする。  【解決手段】回動機構を、パネル３の裏面に固定される回動部と、露受皿１ｅの固定部とから構成する。固定部を、露受皿１ｅの下面に固定され、吸込口３ａと同心円に配置された断面Ｌ字型のリング状のレール１ｊで構成し、回動部を、パネル３の裏面に立設されたステー３ｃに回動自在に軸支され、レール１ｊの上を転がるローラー３ｄで構成する。ベルマウス１ｆの外周から突設された取付部１ｆ１の垂直面に、パネル３全体を回動させるモータ１ｇを固定し、その回転軸にギア１ｈを固定する。一方、このギア１ｈと噛み合う位置のパネル３の裏面にパネル３の円周方向にラック３ｅを設け、ギア１ｈを回転させることによりパネル３全体を回動させる。【選択図】図１
2005257142.tif 000002
【特許請求の範囲】
【請求項１】
下面を開口する円筒状の筐体と、同筐体内の中央から垂下されたファンモータにより駆動される送風ファンと、同送風ファンを取り囲む熱交換器と、同熱交換器の下部に固定された露受皿と、前記筐体の開口端を閉塞し、前記遠心ファンの下方に位置する円形吸込口を備えると共に周縁に吹出口を備えたパネルと、同パネルを前記吸込口と同心円状に回動させる回動機構とを備えてなり、
前記回動機構は、前記パネルの裏面に固定される回動部と、前記露受皿または、前記筐体の開口端の外周に配置された固定部とからなることを特徴とする天井埋込型空気調和機。
【請求項２】
前記固定部は、前記露受皿の下面に固定され、前記吸込口と同心円状に配置されたリング状のレールからなり、前記回動部は、前記パネルの裏面に立設されたステーに回動自在に軸支され、前記レール上を転がるローラーからなることを特徴とする請求項１記載の天井埋込型空気調和機。
【請求項３】
前記固定部は、前記筐体の開口端の外周に設けたフランジからなり、前記回動部は、前記パネルの外周裏面上に設けられた支持台に回動自在に軸支され、前記フランジ上を転がるローラーからなることを特徴とする請求項１記載の天井埋込型空気調和機。
【請求項４】
前記フランジは、断面が傾斜して形成され、前記ローラーは、前記フランジの傾斜に対応した円錐台形としてなることを特徴とする請求項３記載の天井埋込型空気調和機。
【請求項５】
前記パネルが前記筐体の開口側から同筐体に着脱自在に取り付けられてなることを特徴とする請求項１乃至請求項４のいずれかに記載の天井埋込型空気調和機。
【請求項６】
前記パネルの前記吹出口と対応する位置に配置された回動自在の上下風向板と、同上下風向板を駆動する駆動機構と、前記パネルとを１つのユニットとして構成してなることを特徴とする請求項１乃至請求項５のいずれかに記載の天井埋込型空気調和機。
【請求項７】
前記パネルの前記吸込口と対応する裏面にベルマウスを設けてなることを特徴とする請求項１乃至請求項６のいずれかに記載の天井埋込型空気調和機。
【発明の詳細な説明】
【技術分野】
【０００１】
本発明は、中央に吸込口を備え、この吸込口の外周に吹出口を備えたパネルが、この吸込口と同心円状に回転する天井埋込型空気調和機に関する。
【背景技術】
【０００２】
従来、天井埋込型空気調和機の例としては、図８の側断面図、図９の下方から見た図、及び図１０の斜視図の構造となっていた。
25は室内の天井板上方の空間部内に吊下げられ、上部を吊り金具24を備えた天板23で閉塞し側部に配管カバー26を備えた円筒状の箱体、14は同箱体25の下部開口端を閉塞し、中央部の円形吸込口19およびその周縁に沿うドーナツ状の吹出口15を備えた化粧パネル、20は前記円形吸込口19の内側に設けられたフィルタ、13は前記箱体25内の上部中央に配置され、側部に仕切板13a が取り付けられた円形熱交換器、12は同円形熱交換器13の中央部に軸方向を垂直にして前記箱体25側に支持されたファンモータ11により駆動される遠心ファン、28は前記ファンモータ11を防振ゴム27を介して前記箱体25に取り付けるモータベース、16は前記吹出口15に回動自在に設けられた風向変更板で、同風向変更板16は回転板２１と共に、後述する駆動装置により回動するようにした構成となっている。
【０００３】
前記風向変更板16を回動するための駆動装置が、前記箱体25の一側の駆動板22に設けられた駆動モータ３８と、同駆動モータ３８の駆動力を伝達するための後述する伝達部および前記風向変更板16に連係するための連係部とからなる構成となっている。
【０００４】
そして、前記風向変更板16を回動するための駆動装置を構成する前記伝達部が、図１０で示すように、前記駆動モータ３８の駆動軸に設けたタイミングプーリィ18と、同タイミングプーリィ18に対応して前記箱体25内に設けられたタイミングベルト17とからなる構成となっている（例えば、特許文献１参照）。
【０００５】
しかしながら、従来の構造では、風向変更板を回動させるため、回転板と駆動板とが円周方向に摺動する構造であり、スムースな回転ができない問題があった。さらに、風向変更板を回動させるためには駆動板を箱体に固定しなければならず、これらも含めて駆動装置全体が複雑となっていた。さらに、この複雑な駆動装置のために風向変更板を下方向から取り外せず、非常にメンテナンス性が悪いという問題があった。
【０００６】
【特許文献１】特開平１１−２０１４９４号公報（第３頁、図１０）
【発明の開示】
【発明が解決しようとする課題】
【０００７】
本発明は以上述べた問題点を解決し、送風の吹出方向を回動させ、室内にくまなく送風するパネルの構造を簡素化し、さらに、メンテナンス性を向上させることを目的とする。
【課題を解決するための手段】
【０００８】
本発明は上述の課題を解決するため、下面を開口する円筒状の筐体と、同筐体内の中央から垂下されたファンモータにより駆動される送風ファンと、同送風ファンを取り囲む熱交換器と、同熱交換器の下部に固定された露受皿と、前記筐体の開口端を閉塞し、前記遠心ファンの下方に位置する円形吸込口を備えると共に周縁に吹出口を備えたパネルと、同パネルを前記吸込口と同心円状に回動させる回動機構とを備えてなり、
前記回動機構は、前記パネルの裏面に固定される回動部と、前記露受皿または、前記筐体の開口端の外周に配置された固定部とからなる構造とする。
【０００９】
そして、前記固定部は、前記露受皿の下面に固定され、前記吸込口と同心円状に配置されたリング状のレールからなり、前記回動部は、前記パネルの裏面に立設されたステーに回動自在に軸支され、前記レール上を転がるローラーからなる構造とする。
【００１０】
または、前記固定部は、前記筐体の開口端の外周に設けたフランジからなり、前記回動部は、前記パネルの外周裏面上に設けられた支持台に回動自在に軸支され、前記フランジ上を転がるローラーからなる構造とする。
【００１１】
また、前記フランジは、断面が傾斜して形成され、前記ローラーは、前記フランジの傾斜に対応した円錐台形とする。
【００１２】
また、前記パネルが前記筐体の開口側から同筐体に着脱自在に取り付けられる構造とする。
【００１３】
また、前記パネルの前記吹出口と対応する位置に配置された回動自在の上下風向板と、同上下風向板を駆動する駆動機構と、前記パネルとを１つのユニットとして構成する。
【００１４】
また、前記パネルの前記吸込口と対応する裏面にベルマウスを設ける。
【発明の効果】
【００１５】
以上の構造を用いることにより、本発明による天井埋込型空気調和機によれば、請求項１に係わる発明は、下面を開口する円筒状の筐体と、同筐体内の中央から垂下されたファンモータにより駆動される送風ファンと、同送風ファンを取り囲む熱交換器と、同熱交換器の下部に固定された露受皿と、筐体の開口端を閉塞し、遠心ファンの下方に位置する円形吸込口を備えると共に周縁に吹出口を備えたパネルと、同パネルを吸込口と同心円状に回動させる回動機構とを備え、
回動機構は、パネルの裏面に固定される回動部と、露受皿または、筐体の開口端の外周に配置された固定部とからなる構造により、
パネルを吊り下げるために、すでに吊り下げられている露受皿や筐体の板金を利用できるために回動構造が簡素化され、また、回動部と固定部とがパネルの裏面付近で結合されるため、メンテナンス性が向上する。さらに、吸込口や吹出口に専用の吊り下げ機構を設けなくてもよいため、コストを低減できる。また、専用の吊り下げ機構を設けることによる通風抵抗が生じることがない。
【００１６】
請求項２に係わる発明は、固定部が、露受皿の下面に固定され、吸込口と同心円状に配置されたリング状のレールからなり、回動部が、パネルの裏面に立設されたステーに回動自在に軸支され、レール上を転がるローラーからなる構造とすることにより、回動構造が簡素化され、また、パネルの裏面のローラーと露受皿の下面のレールが筐体の下方で接続される構造となるため、取付の位置合わせが容易でメンテナンス性を向上させることができる。また、パネルの円周方向の回転をスムースに行なうことができる。
【００１７】
請求項３に係わる発明は、固定部が、筐体の開口端の外周に設けたフランジからなり、回動部が、パネルの外周裏面上に設けられた支持台に回動自在に軸支され、フランジ上を転がるローラーからなる構造とすることにより、
回動構造が簡素化され、また、パネルの裏面のローラーとフランジとが筐体の下方で接続される構造となるため、取付の位置合わせが容易でメンテナンス性を向上させることができる。
また、フランジをローラーのためのレールとして使用できるため、部品点数を削減してコストダウンを図ることができる。
さらに、回動機構をパネルの外周に配置できるため、パネルを安定して吊り下げることができる。
【００１８】
請求項４に係わる発明は、フランジの断面が傾斜して形成され、ローラーは、フランジの傾斜に対応した円錐台形とすることにより、
支持台と共にローラーをパネルの内周、又は、外周側に移動させることで、パネル自体を上下方向に調整可能となり、パネルと天井との隙間を任意に調整でき、設置やメンテナンスが容易となる。
また、フランジの傾斜によってパネル回転の中心が定まり、ガタのないパネル回転が可能となる。さらに、フランジの傾斜によってローラーとフランジが密着し、パネルがスムースに回動する。
【００１９】
請求項５に係わる発明は、パネルが筐体の開口側から同筐体に着脱自在に取り付けられる構造により、下方から天井面に向かってパネルを取り付ける際に、装着を容易に行なうことが可能であり、メンテナンス性が向上する。
【００２０】
請求項６に係わる発明は、パネルの吹出口と対応する位置に配置された回動自在の上下風向板と、同上下風向板を駆動する駆動機構と、パネルとを１つのユニットとして構成することにより、下方から天井面に向かってパネルを取り付ける際に、装着を容易に行なうことが可能であり、メンテナンス性が向上する。
【００２１】
請求項７に係わる発明は、パネルの吸込口と対応する裏面にベルマウスを設けることにより、パネルとベルマウスとの間の隙間をなくして、効率的な吸込みを行なうことができ、さらに、パネルの強度を向上させ、たわみを防止することができる。
【発明を実施するための最良の形態】
【００２２】
以下、本発明の実施の形態を、添付図面に基づいた実施例として詳細に説明する。
【実施例１】
【００２３】
図１は本発明による天井埋込型空気調和機の一実施例を示す断面図、図２は図１の空気調和機を下方から見た図、図３は図１の要部断面図である。
天井埋込型空気調和機は、下面を開口する円筒状の筐体１と、同筐体１の開口端を閉塞すると共に、中央部の円形の吸込口３ａおよびその周縁に４つの吹出口１ｋとこれに対応する上下風向板３ｂとを備えた円形のパネル３とで外装部材が構成されている。なお、パネル３の外周に配置され、筐体１の外周に装着されているのは化粧パネル１ｉであり、吊天井２の目隠しに用いられる。
【００２４】
この筐体１内には、筐体１の天井面から垂下された固定金具１ｂと、吸込口３ａと吹出口１ｋとを結ぶ空気通路に配設され、固定金具１ｂの下方端部に底部を引っかけて筐体１の天井面から吊下げられた円形の熱交換器１ａと、筐体１の天井面の中央に固定されたファンモータ１ｃから垂下される回転軸に固定され、周囲に配設された熱交換器１ａで熱交換された空気を吹出口１ｋから送出する送風ファン１ｄと、パネル３の吸込口３ａと送風ファン１ｄとの間に配設されたベルマウス１ｆと、熱交換器１ａの下部に配設された露受皿１ｅと、筐体１内面に貼り付けた断熱材１ｍとが設けられている。
【００２５】
ベルマウス１ｆには、図１に示すように、ベルマウス１ｆの外周から突設された取付部１ｆ１が設けられており、ネジで螺着することにより、ベルマウス１ｆを固定金具１ｂに固定する構造となっている。なお、図示しないが、このベルマウスを固定金具１ｂに固定しないで、パネル３の裏面に固定する構造としてもよい。これにより、パネル３とベルマウス１ｆの間の隙間をなくして、効率的な吸込みを行なうことができ、さらに、パネル３の強度を向上させ、たわみを防止することができる。
【００２６】
図２に示すようにパネル３には、吹出口１ｋと対応する位置に上下風向板３ｂが配置されており、この上下風向板３ｂの裏面から延出したリブ３ｂ１には回動軸３ｂ２が固定されており、この回動軸３ｂ２はパネル３の裏面から延出したリブ３ｆによって回動自在に軸支されている。さらに、この回動軸３ｂ２は４つの上下風向板３ｂの全てにフレキシブルワイヤ３ｇによって接続され、このフレキシブルワイヤ３ｇの末端は、上下風向板３ｂを駆動するモータ３ｈの回転軸に接続されている。従ってこのモータ３ｈの回転により、全ての上下風向板３ｂを同時に駆動することができる。
このように、パネル３の吹出口１ｋと対応する位置に配置された回動自在の上下風向板３ｂと、同上下風向板３ｂを駆動するモータ３ｈからなる駆動機構と、パネル３とを１つのユニットとして構成することにより、下方から天井面に向かってパネルを取り付ける際に、装着を容易に行なうことが可能であり、メンテナンス性が向上する。
【００２７】
本発明は、このようにパネル３の裏面に上下風向板３ｂとその駆動機構を１つのユニットとして備えているため、後述するこのパネル３の回動機構も含めて、パネル３の筐体１下方向からの位置合わせと着脱とが容易であり、メンテナンス性を向上した構造となっている。
【００２８】
本発明は、このような構造に加えてパネル３を吸込口３ａと同心円に回動させる４つの回動機構を備えていることが特徴である。この回動機構は、パネル３の裏面に固定される回動部と、露受皿１ｅまたは、筐体１の開口端の外周に固定され固定部とから構成されている。
パネルの裏面に固定される回動部と、筐体の開口端の外周に固定され固定部とからなる回動機構については実施例２で説明するため、ここでは第一実施例としてパネル３の裏面に固定される回動部と露受皿１ｅの固定部とかならる回動機構について、図１から図３を用いて説明する。
【００２９】
図３において固定部は、露受皿１ｅの下面に固定され、吸込口３ａと同心円に配置された断面Ｌ字型のリング状のレール１ｊから構成されており、回動部は、パネル３の裏面に立設されたステー３ｃに回動自在に軸支され、レール１ｊの上を転がるローラー３ｄから構成されている。
ローラー３ｄは例えば硬質ゴムで形成されており、ステー３ｃの透孔を挿通したネジ３ｊがローラー３ｄの一方の側面の回転中心にねじ込まれて固定されている。従って、ローラー３ｄはこのレール１ｊの上を自在に回転できる構造となっており、結果的にパネル３全体が露受皿１ｅから吊り下げられ、パネル３の円周方向に回動できる構造となっている。
【００３０】
ベルマウス１ｆの外周から突設された取付部１ｆ１の垂直面には、パネル３全体を回動させるモータ１ｇが固定されており、その回転軸にはギア１ｈが固定されている。一方、このギア１ｈと噛み合う位置のパネル３の裏面にはパネル３の円周方向にラック３ｅが設けられており、ギア１ｈが回転することによりパネル３全体を回動する構造となっている。
なお、前述のようにパネル３とベルマウス１ｆとを固定する場合には、このモータ１ｇをベルマウス１ｆの取付部１ｆ１でなく、例えば露受皿１ｅの下面に固定する構造とするとよい。
【００３１】
この構造により、パネル３全体、すなわち吹出口１ｋを任意の方向に向けることができ、さらに、前述した上下風向板３ｂの上下駆動を合わせて行なうことにより、室内にくまなく送風すると共に、吹出口１ｋの回動による間欠的な送風により、室内にいる人に不快感を与えない送風を行なうことができる。
また、熱交換器１ａやベルマウス１ｆや露受皿１ｅが強度的に強い固定金具１ｂで吊り下げられており、この吊り下げる構造を利用してレール１ｊを吊り下げるので、吸込口３ａや吹出口１ｋに専用の吊り下げ機構を設けなくてもよいため、コストを低減できる。また、専用の吊り下げ機構による通風抵抗が生じることがない。
【００３２】
図２の点線で示すように、リング状のレール１ｊは吸込口３ａを中心として角度が９０度毎に、ローラー３ｄの直径よりやや幅の広い隙間３ｉが設けられている。パネル３の裏面のローラー３ｄも角度が９０度毎に配置されているため、下方から天井面に向かってパネル３を取り付ける際には、ローラー３ｄをこの隙間３ｉから入れ込み、パネル３を左右どちらかに回動させることによって装着する。この構造により、パネル３の装着を容易に行なうことが可能であり、メンテナンス性が向上する。
【実施例２】
【００３３】
次にパネルの裏面に固定される回動部と、筐体の開口端の外周に固定され固定部とからなる回動機構について、図４から図６を用いて説明する。なお、実施例１と同じ部分については同じ番号を付与し、詳細な説明を省略する。
【００３４】
図５に示すように、この実施例のパネル５は、図２のパネルと化粧パネルとを一体にした構造となっている。ここでは、第一実施例の化粧パネルの部分を、化粧パネル部５ｉと呼称して説明する。
【００３５】
図６に示すように、この実施例の固定部は筐体４を構成する板金の開口端の外周に一体に設けたフランジ４ａであり、また、回動部は、化粧パネル部５ｉの裏面上に備えられた断面Ｌ字型の支持台５ｂに回動自在に軸支され、フランジ４ａ上を転がるローラー５ｄで構成されている。
このフランジ４ａは、断面が傾斜して形成され、ローラー５ｄは、フランジ４ａの傾斜に対応した円錐台形に形成されている。
【００３６】
一方、化粧パネル部５ｉの表面には、ネジ５ｈの頭が摺動する小判型の凹部５ｆが設けられており、さらに、この凹部５ｆの中には、ネジ５ｈの直径よりやや幅の広い長孔５ｇが設けられている。
支持台５ｂの底面にはこのネジ５ｈと対応するネジ孔が備えられており、ネジ５ｈを完全に螺着すると支持台５ｂは完全に化粧パネル部５ｉに固定され、ネジ５ｈをやや緩めた状態に螺着すると、支持台５ｂを左右に摺動させることができる。
【００３７】
従って、下方から天井面に向かってパネル５を取り付ける際には、支持台５ｂを化粧パネル部５ｉの外周方向に摺動させ、パネル５を筐体４の開口端の所定の位置に保持してから支持台５ｂを化粧パネル部５ｉの内周方向に摺動させ、ネジ５ｈを完全に螺着する。この構造により、パネル５の装着を容易に行なうことが可能であり、メンテナンス性が向上する。また、図示しないが、支持台５ｂをパネル５の円周方向に３カ所（角度で１２０度ごと）に配置する構造とすれば、支持台５ｂを２カ所固定しておき、残りの１箇所のみを半固定にできるため、更に取付が容易となる。
【００３８】
図４の右端に示すローラー５ｄは、例えば硬質ゴムで形成されており、支持台５ｂの透孔を挿通したネジ５ｊが直径の大きい面の回転中心にねじ込まれて、回動自在に軸支されている。従って、ローラー５ｄはこのフランジ４ａ上を自在に回転できる構造となっており、結果的にパネル５の全体が筐体４の外周から吊り下げられ、パネル５の円周方向に回動できる構造となっている。なおこの実施例の場合はこれと同じ構造を、円周方向に３カ所設けている。
【００３９】
図６に示すように、パネル５を回動させるためのモータ５ｃは、支持台５ｂの垂直面に固定されており、一方、ローラー５ｄは例えば硬質ゴムで形成されており、支持台５ｂの透孔を挿通したモータ５ｃの回転軸５ｅが、直径の大きい面の回転中心に挿入されて固定されている。
【００４０】
従ってこのモータ５ｃを回転させれば、パネル５全体、すなわち吹出口５ｋを任意の方向に向けることができ、さらに、前述した上下風向板３ｂの上下駆動を合わせて行なうことにより、室内にくまなく送風すると共に、吹出口５ｋの回動による間欠的な送風により、室内にいる人に不快感を与えない送風を行なうことができる。
【００４１】
また、強度的に強い筐体４の外形板金を利用してパネル５を吊り下げるので、吸込口５ａや吹出口５ｋに専用の吊り下げ機構を設けなくてもよいため、コストを低減できる。また、専用の吊り下げ機構による通風抵抗が生じることがない。
また、実施例１では露受皿の下に駆動機構を配置しなければならないが、実施例２ではこの空間が不要なため、熱交換器の高さ寸法を高くして、熱交換能率を向上させることができる。
【００４２】
さらに、ローラー５ｄはフランジ４ａの傾斜に対応した円錐台形に形成されているため、フランジ４ａの傾斜によってパネル５の回転の中心が定まり、ガタのないパネル回転が可能となる。また、パネル５全体の重量がフランジ４ａの傾斜によってローラー５ｄとフランジ４ａとの荷重となり、両者がこの荷重により密着し、パネル５がスムースに回動する。
【００４３】
また、この傾斜と摺動する支持台５ｂとにより、化粧パネル部５ｉの裏面と吊天井２の表面との隙間を調節することができる。つまり、支持台５ｂをパネル５の内周に摺動すればパネル５全体が上昇し、支持台５ｂをパネル５の外周に摺動すればパネル５全体が下降する。この構造により、筐体４の取付誤差による前述の隙間をパネル５で調節することができるため、設置やメンテナンスでの作業性が改善される。
【００４４】
なお、図５において、この実施例では説明の都合上、回動部を上下風向板３ｂの幅広部分と対応する位置に配置しているが、ここでなく、隣接する上下風向板３ｂの間に配置してもよい。これにより、比較的強度の弱い化粧パネル部５ｉでなく、強度の強い化粧パネル部５ｉに回動部を配置できるため、パネルのたわみを防止することができる。
【実施例３】
【００４５】
図７は回動部の別の実施例である。実施例２と同じ部分については同じ番号を付与し、詳細な説明を省略する。
図６と異なる部分は支持台５ｎが断面コ字型である点と、モータ５ｃとローラー５ｍが垂直に配置されている点である。また、ローラー５ｍと支持台５ｎとの間には、スラストベアリング５ｏが設けられている。
【００４６】
この構造により、パネル５の重みをこのスラストベアリング５ｏが受け止めるため、モータ５ｃの回転軸５ｅに負荷がかからず、スムースな回転を行なうことができる。また、モータ５ｃの全長が長い場合でも垂直方向に余裕があるため、化粧パネル部５ｉを大きくしなくても対応できる。つまり、空気調和機の直径を小さくできる。
【００４７】
以上説明した実施例２及び実施例３において、筐体のフランジ４ａ（実施例１でのレールに相当）にローラーの直径よりやや幅の広い隙間をローラーの位置に対応させて設けても良い（図示せず）。このような構造により、実施例１と同様に、下方から天井面に向かってパネルを取り付ける際には、ローラーをこの隙間から入れ込み、パネルを左右どちらかに回動させることによって装着が可能となる。この構造により、支持台を左右に摺動させる構造が不要となり、パネルの装着を容易に行なうことが可能であり、メンテナンス性が向上する。
【００４８】
また、図示しないが、実施例１のレール１ｊ（実施例２や３のフランジに相当）に傾斜を設けてもよい。この構造により実施例２や３と同様に、レール１ｊの傾斜によってパネル回転の中心が定まり、ガタのないパネル回転が可能となる。また、レール１ｊの傾斜によってローラーとレールが密着し、パネルがスムースに回動する。
【図面の簡単な説明】
【００４９】
【図１】本発明による天井埋込型空気調和機の第一実施例を示す側断面図である。
【図２】本発明による図１の天井埋込型空気調和機を下方から見た図である。
【図３】図１の要部断面図である。
【図４】本発明による天井埋込型空気調和機の第二実施例を示す側断面図である。
【図５】本発明による図４の天井埋込型空気調和機を下方から見た図である。
【図６】図４の要部断面図である。
【図７】本発明による天井埋込型空気調和機の第三実施例を示す要部断面図である。
【図８】従来の天井埋込型空気調和機を示す側断面図である。
【図９】図８の天井埋込型空気調和機を下方から見た図である。
【図１０】従来の天井埋込型空気調和機を示す分解斜視図である。
【符号の説明】
【００５０】
１  筐体
１ａ  熱交換器
１ｂ  固定金具
１ｃ  ファンモータ
１ｄ  送風ファン
１ｅ  露受皿
１ｆ  ベルマウス
１ｆ１  取付部
１ｇ  モータ
１ｈ  ギア
１ｉ  化粧パネル
１ｊ  レール
１ｋ  吹出口
１ｍ  断熱材
２  吊天井
３  パネル
３ａ  吸込口
３ｂ  上下風向板
３ｂ１  リブ
３ｂ２  回動軸
３ｃ  ステー
３ｄ  ローラー
３ｅ  ラック
３ｆ  リブ
３ｇ  フレキシブルワイヤ
３ｈ  モータ
３ｉ  隙間
３ｊ  ネジ
４  筐体
４ａ  フランジ
５  パネル
５ａ  吸込口
５ｂ  支持台
５ｃ  モータ
５ｄ  ローラー
５ｅ  回転軸
５ｆ  凹部
５ｇ  長孔
５ｈ  ネジ
５ｉ  化粧パネル部
５ｊ  ネジ
５ｋ  吹出口
５ｍ  ローラー
５ｎ  支持台
５ｏ  スラストベアリング
【図１】
2005257142.tif 000003
【図２】
2005257142.tif 000004
【図３】
2005257142.tif 000005
【図４】
2005257142.tif 000006
【図５】
2005257142.tif 000007
【図６】
2005257142.tif 000008
【図７】
2005257142.tif 000009
【図８】
2005257142.tif 000010
【図９】
2005257142.tif 000011
【図１０】
2005257142.tif 000012